(57)【特許請求の範囲】
【請求項１】
トナー像を保持する像保持体と、
現像剤としてトナーおよびキャリアを収容する収容容器を有し、前記像保持体に形成された静電潜像をトナーで現像する現像手段と、
前記現像手段により前記像保持体上に形成されたトナー像を、記録材上に転写する転写手段と、
記録材として表面に凹凸が形成される加工がされた凹凸紙を用いる場合に、凹凸紙に転写するためのトナー像が前記現像手段により前記像保持体上に形成される前に、前記収容容器におけるトナーの帯電量を低下させる帯電量調整手段と
を備え、
前記帯電量調整手段は、凹凸紙の坪量が予め定めた値より小さい場合には、前記収容容器におけるトナーの帯電量を低下させないことを特徴とする画像形成装置。
【請求項２】
前記帯電量調整手段は、前記現像手段の前記収容容器に収容されるトナーを前記像保持体に吐き出すこと、および／または、当該収容容器に新たなトナーを供給することにより、当該収容容器におけるトナーの帯電量を低下させることを特徴とする請求項１に記載の画像形成装置。
【請求項３】
前記帯電量調整手段は、前記現像手段の前記収容容器に収容される現像剤におけるトナー濃度を高くすることで、当該収容容器におけるトナーの帯電量を低下させることを特徴とする請求項２に記載の画像形成装置。
【請求項４】
前記凹凸紙は、エンボス紙であることを特徴とする請求項１乃至３のいずれか１項に記載の画像形成装置。
【請求項５】
前記帯電量調整手段は、凹凸紙に転写するためのトナー像が前記現像手段により前記像保持体上に形成された後、凹凸紙以外の記録材に転写するためのトナー像が当該現像手段により当該像保持体上に形成される前に、前記収容容器におけるトナーの帯電量を上昇させることを特徴とする請求項１乃至４のいずれか１項に記載の画像形成装置。
【請求項６】
トナー像を保持する像保持体と、
前記像保持体に形成された静電潜像をトナーで現像して当該像保持体上にトナー像を形成する現像手段と、
前記現像手段により前記像保持体上に形成されたトナー像を、記録材上に転写する転写手段とを備え、
前記現像手段は、記録材として坪量が予め定めた値以上であるエンボス紙を用いる場合に、エンボス紙上に転写されない非転写トナー像を前記像保持体上に形成することにより当該像保持体上にトナーを吐き出した後、エンボス紙に形成するためのトナー像を当該像保持体上に形成し、記録材として坪量が当該値より小さいエンボス紙を用いる場合に、当該非転写トナー像を当該像保持体上に形成しないで、エンボス紙に形成するためのトナー像を当該像保持体上に形成することを特徴とする画像形成装置。
【発明の詳細な説明】
【技術分野】
【０００１】
本発明は、画像形成装置に関する。
【背景技術】
【０００２】
従来、感光来ドラムの表面を一様に帯電した後、露光により静電潜像を形成し、この静電潜像を現像器により現像してトナー像を形成し、形成されたトナー像を記録材上に転写・定着することによって、記録材上に画像を形成する画像形成装置が存在する。
このような画像形成装置では、表面に凹凸が形成される加工がされたエンボス紙等の記録材に対して画像を形成する場合に、記録材の凹部においてトナーの転写不良が発生する場合がある。
【０００３】
特許文献１には、表面に凹凸が形成される加工がされたエンボス紙等の記録材において有色トナー画像の転写不良を抑制するために、中間転写体上に、透明トナーにより形成された透明トナー層の上に有色トナーにより形成された有色トナー層を形成する技術が開示されている。そして、中間転写体上に形成されたトナー像を用紙へ転写する際には、透明トナー層と有色トナー層との層間で切断されやすくなるため用紙への転写性が改善されることが記載されている。
【先行技術文献】
【特許文献】
【０００４】
【特許文献１】特開２００９−２５７１３号公報
【発明の概要】
【発明が解決しようとする課題】
【０００５】
本発明は、表面に凹凸が形成される加工がされた凹凸紙に画像を形成する場合に、トナーの帯電量を低下させない場合と比較して、凹凸紙に対するトナー像の転写不良の発生を抑制することを目的とする。
【課題を解決するための手段】
【０００６】
請求項１に係る発明は、トナー像を保持する像保持体と、現像剤としてトナーおよびキャリアを収容する収容容器を有し、前記像保持体に形成された静電潜像をトナーで現像する現像手段と、前記現像手段により前記像保持体上に形成されたトナー像を、記録材上に転写する転写手段と、記録材として表面に凹凸が形成される加工がされた凹凸紙を用いる場合に、凹凸紙に転写するためのトナー像が前記現像手段により前記像保持体上に形成される前に、前記収容容器におけるトナーの帯電量を低下させる帯電量調整手段とを備え、前記帯電量調整手段は、凹凸紙の坪量が予め定めた値より小さい場合には、前記収容容器におけるトナーの帯電量を低下させないことを特徴とする画像形成装置である。
請求項２に係る発明は、前記帯電量調整手段は、前記現像手段の前記収容容器に収容されるトナーを前記像保持体に吐き出すこと、および／または、当該収容容器に新たなトナーを供給することにより、当該収容容器におけるトナーの帯電量を低下させることを特徴とする請求項１に記載の画像形成装置である。
請求項３に係る発明は、前記帯電量調整手段は、前記現像手段の前記収容容器に収容される現像剤におけるトナー濃度を高くすることで、当該収容容器におけるトナーの帯電量を低下させることを特徴とする請求項２に記載の画像形成装置である。
請求項４に係る発明は、前記凹凸紙は、エンボス紙であることを特徴とする請求項１乃至３のいずれか１項に記載の画像形成装置である。
請求項５に係る発明は、前記帯電量調整手段は、凹凸紙に転写するためのトナー像が前記現像手段により前記像保持体上に形成された後、凹凸紙以外の記録材に転写するためのトナー像が当該現像手段により当該像保持体上に形成される前に、前記収容容器におけるトナーの帯電量を上昇させることを特徴とする請求項１乃至４のいずれか１項に記載の画像形成装置である。
請求項６に係る発明は、トナー像を保持する像保持体と、前記像保持体に形成された静電潜像をトナーで現像して当該像保持体上にトナー像を形成する現像手段と、前記現像手段により前記像保持体上に形成されたトナー像を、記録材上に転写する転写手段とを備え、前記現像手段は、記録材として坪量が予め定めた値以上であるエンボス紙を用いる場合に、エンボス紙上に転写されない非転写トナー像を前記像保持体上に形成することにより当該像保持体上にトナーを吐き出した後、エンボス紙に形成するためのトナー像を当該像保持体上に形成し、記録材として坪量が当該値より小さいエンボス紙を用いる場合に、当該非転写トナー像を当該像保持体上に形成しないで、エンボス紙に形成するためのトナー像を当該像保持体上に形成することを特徴とする画像形成装置である。
【発明の効果】
【０００７】
請求項１に係る発明によれば、表面に凹凸が形成される加工がされた凹凸紙に画像を形成する場合に、トナーの帯電量を低下させない場合と比較して、凹凸紙に対するトナー像の転写不良の発生を抑制することができる。
請求項２に係る発明によれば、画像形成時と同様の動作により、収容容器におけるトナーの帯電量を低下させることができる。
請求項３に係る発明によれば、画像形成時と同様の動作により、収容容器におけるトナーの帯電量を低下させることができる。
請求項４に係る発明によれば、エンボス紙に画像を形成する場合に、エンボス紙に形成される画像の濃度むらや色抜けの発生を抑制することができる。
請求項５に係る発明によれば、凹凸紙に画像を形成した後、凹凸紙以外の記録材に画像を形成する場合に、画像濃度が高くなることを抑制することができる。
請求項６に係る発明によれば、エンボス紙に画像を形成する場合に、トナーの吐き出しを行わない場合と比較して、エンボス紙に対するトナー像の転写不良の発生を抑制することができる。
【図面の簡単な説明】
【０００８】
【図１】本実施の形態が適用される複合機の全体構成を示した図である。
【図２】現像器の構成を示した図であり、現像器の断面図である。
【図３】トナーの帯電量とエンボス紙に対するトナーの転写性グレードとの関係を示した図である。
【図４】凹凸紙に画像を形成する指示がなされた場合に、制御装置による制御に基づいて行われる処理のフローチャートである。
【図５】第１セットアップ処理の前後のトナーの帯電量およびエンボス紙へのトナーの転写性グレードの関係を示した図である。
【図６】画像形成装置において、坪量の互いに異なるエンボス紙に対して画像を形成した場合のトナーの転写性グレードの関係を示した図である。
【図７】実施の形態２において、凹凸紙に画像を形成する指示がなされた場合に、制御装置による制御に基づいて行われる処理のフローチャートである。
【発明を実施するための形態】
【０００９】
（実施の形態１）
以下、添付図面を参照して、本発明の実施の形態について詳細に説明する。
図１は、本実施の形態が適用される複合機１の全体構成を示した図である。ここで、図１に示す複合機１は、コピー機能、スキャン機能およびプリント機能を有する複写機に、さらにファクシミリ機能を具備させたものである。
【００１０】
本実施の形態の複合機１は、記録材の一例としての用紙に画像を形成する画像形成装置２と、原稿に形成された画像を読み取る画像読取装置３と、ユーザからの操作指示を受け付けるとともにユーザに対して各種情報を表示する操作受付装置４と、複合機１の動作を制御する帯電量調整手段の一例としての制御装置５とを備えている。なお、この例において、制御装置５は、画像形成装置２の筐体に内蔵されている。
【００１１】
操作受付装置４は、ユーザに情報を表示するとともにユーザから操作指示を受け付けるためのタッチパネルで構成された表示パネル４ａと、ユーザから操作指示を受け付けるためのボタン群４ｂとを備えている。
【００１２】
画像形成装置２は、電子写真方式を用いた所謂タンデム方式で構成され、予め定めた間隔を置いて並列的に配置されたイエロー（Ｙ）、マゼンタ（Ｍ）、シアン（Ｃ）、黒（Ｋ）のトナー像をそれぞれ形成する４つの画像形成ユニット１１Ｙ、１１Ｍ、１１Ｃ、１１Ｋ（「画像形成ユニット１１」とも総称する）を備えている。
画像形成ユニット１１は、矢印Ａ方向に回転しながら静電潜像が形成される像保持体の一例としての感光体ドラム１２と、感光体ドラム１２の表面を予め定められた電位で一様に帯電する帯電ロール１３と、帯電ロール１３によって帯電された感光体ドラム１２を画像データに基づいて露光するプリントヘッド１４と、感光体ドラム１２上に形成された静電潜像を現像する現像手段の一例としての現像器１５を備えている。この４つの画像形成ユニット１１Ｙ、１１Ｍ、１１Ｃ、１１Ｋの各々は、現像器１５に収容されるトナーを除いて同様の構成を有しており、各画像形成ユニット１１のそれぞれがイエロー（Ｙ）、マゼンタ（Ｍ）、シアン（Ｃ）、黒（Ｋ）のトナー像を形成する。また、この例では、現像器１５において、各色のトナーを負極性に帯電している。
【００１３】
また、画像形成装置２は、各画像形成ユニット１１の各感光体ドラム１２上に形成された各色トナー像が多重転写される中間転写ベルト２０と、各画像形成ユニット１１の各色トナー像を中間転写ベルト２０に順次転写（一次転写）する一次転写ロール２１と、を備えている。さらに、画像形成装置２は、中間転写ベルト２０上に転写された重畳トナー像を用紙に対して一括転写（二次転写）する二次転写部３０と、二次転写されたトナー像を用紙上に定着させる定着器４０と、を備えている。さらにまた、画像形成装置２は、中間転写ベルト２０の表面に接触配置され、中間転写ベルト２０に付着しているトナー（転写残トナー）を除去するベルトクリーナ２３を備えている。
【００１４】
中間転写ベルト２０は、導電性を有するフィルム状の無端ベルトにより構成され、一次転写ロール２１を含む複数のロールによって張架されて矢印Ｂ方向に循環移動する。
【００１５】
二次転写部３０は、中間転写ベルト２０を挟んで互いに対向する二次転写ロール３１とバックアップロール３２とを備えている。二次転写ロール３１は、中間転写ベルト２０を介して、バックアップロール３２に対して予め定めた圧力で押圧された状態となっている。そして、二次転写部３０は、二次転写ロール３１とバックアップロール３２との間に形成された二次転写電界（二次転写バイアス）、および二次転写ロール３１とバックアップロール３２との間に形成された圧力により、中間転写ベルト２０上に保持されたトナー像を用紙に転写させる。
また、本実施の形態の二次転写部３０では、後述する第１セットアップ処理を行う場合に、バックアップロール３２に対する二次転写ロール３１の押圧を解除し、二次転写ロール３１を中間転写ベルト２０から離間できるようになっている。
なお、本実施の形態では、中間転写ベルト２０、二次転写ロール３１およびバックアップロール３２により、転写手段が構成される。
【００１６】
定着器４０は、内部に加熱源を備える定着ロール４１と、定着ロール４１に対して圧接配置される加圧ロール４２とを備えている。そして、定着器４０は、定着ロール４１と加圧ロール４２との間に、未定着トナー像を保持した用紙を通過させて加熱と加圧とを行うことにより、用紙上にトナー像を定着させる。
【００１７】
また、画像形成装置２は、互いに異なるサイズないし異なる紙種の複数の用紙を収容する用紙収容トレイ５１〜５３と、それぞれの用紙収容トレイ５１〜５３から用紙を取り出して搬送するフィードロール５４とを備えている。用紙収容トレイ５１〜５３に収容される用紙の紙種としては、普通紙の他、表面にエンボス加工がされた用紙（エンボス紙）、和紙、シワ加工がされた用紙等の表面に凹凸が形成される加工がされた用紙（以下、凹凸紙と称する場合がある）が挙げられる。本実施の形態の画像形成装置２では、操作受付装置４を用いて予めそれぞれの用紙収容トレイ５１〜５３に収容される用紙の紙種を設定するようになっている。
さらに、画像形成装置２は、フィードロール５４により用紙収容トレイ５１から取り出された用紙を、二次転写部３０および定着器４０を介して画像形成装置２の機外に設けられた用紙積載部５８に搬送するための用紙搬送路Ｒを備えている。
【００１８】
続いて、本実施の形態の現像器１５の構成について説明する。図２は、現像器１５の構成を示した図であり、現像器１５の断面図である。
図２に示すように、現像器１５は、感光体ドラム１２に対向する開口を有し、内部にトナーとキャリアとを主成分とする二成分現像剤が収容される収容容器の一例としての現像ハウジング１５１と、現像ハウジング１５１の開口に面した箇所に配置されるとともに感光体ドラム１２に対向する現像ロール１５２と、を備えている。現像ロール１５２は、磁石（図示せず）を内蔵しており、その表面に磁力によって現像剤を保持する。そして、現像ロール１５２上に保持された現像剤が形成する磁気ブラシを感光体ドラム１２に接触させて、感光体ドラム１２上の静電潜像をトナーで現像する。
【００１９】
また、現像器１５は、現像ハウジング１５１内であって感光体ドラム１２の軸方向に沿って設けられる一対の搬送スクリュー１５３ａ、１５３ｂを備えている。
さらに、現像器１５は、現像ハウジング１５１内に新たなトナーを供給するトナー供給装置１５５を備えている。
さらにまた、現像器１５は、現像ハウジング１５１内に収容される現像剤中のトナー濃度を測定する濃度検知センサ１５６を備えている。濃度検知センサ１５６は、例えば現像剤の透磁率を測定する。そして、制御装置５は、濃度検知センサ１５６により測定される現像剤の透磁率に基づいて、現像剤におけるトナー濃度を推定する。
【００２０】
本実施の形態の現像器１５では、現像ハウジング１５１内に収容される現像剤が搬送スクリュー１５３ａ、１５３ｂにより攪拌されることで、トナーとキャリアとが摩擦され、トナーが負極性に帯電されるようになっている。
【００２１】
また、本実施の形態の画像形成装置２では、濃度検知センサ１５６による検知結果に基づいて、制御装置５により現像ハウジング１５１内のトナー濃度を特定する。そして、現像ハウジング１５１内のトナー濃度が予め定めた目標値となるように、制御装置５による制御により、トナー供給装置１５５により現像ハウジング１５１内に新たなトナーが供給される。
この例では、用紙として凹凸紙以外の用紙（普通紙）に対して画像を形成する際には、トナー濃度の目標値として第１濃度値が設定される。また、詳細については後述するが、凹凸紙に対して画像を形成する際には、トナー濃度の目標値として第１濃度値と比較して高い第２濃度値が設定される。
【００２２】
画像形成装置２では、制御装置５による制御の元で、画像形成動作が行われる。すなわち、カラー画像を形成する場合には、画像読取装置３やＰＣ（図示せず）から入力された印刷ジョブデータ等は、制御装置５によって予め定められた画像処理が施され、色毎にプリントヘッド１４に送られる。そして、例えば黒（Ｋ）の画像形成ユニット１１Ｋでは、帯電ロール１３により予め定められた電位で一様に帯電された感光体ドラム１２の表面が、画像処理が施されたＫ色画像データに基づいてプリントヘッド１４により露光され、感光体ドラム１２上に静電潜像が形成される。形成された静電潜像は、現像器１５により現像され、感光体ドラム１２上には黒（Ｋ）色のトナー像が形成される。画像形成ユニット１１Ｙ、１１Ｍ、１１Ｃにおいても、同様にして、イエロー（Ｙ）、マゼンタ（Ｍ）、シアン（Ｃ）の各色トナー像が形成される。
なお、モノクロ画像を形成する場合には、黒（Ｋ）の画像形成ユニット１１Ｋにおいてのみ、黒（Ｋ）色のトナー像が形成される。
【００２３】
各画像形成ユニット１１で形成された各色トナー像は、矢印Ｂ方向に循環移動する中間転写ベルト２０上に、高圧の一次転写電源としての電源装置（図示せず）から予め定められた一次転写バイアス電圧が印加された各一次転写ロール２１により順次静電転写され、中間転写ベルト２０上には、各色トナー像が重畳された重畳トナー像が形成される。重畳トナー像は、中間転写ベルト２０の移動に伴って二次転写部３０に向けて搬送される。
【００２４】
また、画像形成ユニット１１にて各色トナー像が形成されるのに伴って、用紙収容トレイ５１〜５３に収容された用紙がフィードロール５４により取り出される。そして、用紙は、中間転写ベルト２０上の各色トナー像が二次転写部３０に移動するタイミングに合わせて、複数の搬送ロール（図示せず）により二次転写部３０に搬送される。また、高圧の二次転写電源としての電源装置（図示せず）から予め定めた二次転写バイアス電圧が二次転写部３０に印加される。これにより、各色トナー像は、二次転写ロール３１とバックアップロール３２とにより形成された転写電界の作用によって、用紙上に一括して静電転写（二次転写）される。
【００２５】
その後、重畳トナー像が静電転写された用紙は、中間転写ベルト２０から剥離され、定着器４０まで搬送される。定着器４０に搬送された用紙上の未定着トナー像は、定着器４０によって加熱と加圧とにより定着処理を受けることで用紙上に定着される。そして、画像が形成された用紙は、画像形成装置２の用紙積載部５８に排出される。
なお、二次転写後に中間転写ベルト２０に付着しているトナー（転写残トナー）は、中間転写ベルト２０に接触して配置されたベルトクリーナ２３によって除去され、次の画像形成動作（画像形成サイクル）に備えられる。
【００２６】
上述したように、本実施の形態の画像形成装置２では、用紙として、普通紙の他、普通紙と比較して表面に形成される凹凸が大きい、表面に凹凸を形成する加工がされた用紙（凹凸紙）に対して画像を形成することが可能となっている。凹凸紙としては、例えば、エンボス紙、和紙、シワ加工がされた用紙等が挙げられる。
ここで、本実施の形態では、画像形成装置２の用紙収容トレイ５１〜５３に用紙を設置するに際して、例えば操作受付装置４を用いて、用紙の種類（紙種）を設定する。すなわち、用紙収容トレイ５１〜５３に用紙を収容する際に、操作受付装置４の表示パネル４ａに用紙の種類を選択するための選択画面が表示される。そして、ユーザにより表示パネル４ａに表示された選択画面またはボタン群４ｂが操作されることで、用紙収容トレイ５１〜５３に収容される用紙の種類が選択される。選択された用紙の種類は、制御装置５において、それぞれの用紙収容トレイ５１〜５３と対応付けて記憶される。また、画像形成装置２において画像を形成する指示がなされた場合には、制御装置５による制御に基づいて、画像形成の対象となる紙種の用紙がいずれかの用紙収容トレイ５１〜５３に収容される用紙から選択され、二次転写部３０に搬送される。
【００２７】
なお、画像形成装置２に用紙の種類を検知するセンサ（図示せず）を設け、センサによる検知結果に応じて、用紙の種類を判定し自動で設定するようにしてもよい。このようなセンサとしては、例えば用紙の表面状態を検知する超音波センサ等が挙げられる。
【００２８】
ところで一般に、エンボス紙等の凹凸紙に対して画像を形成する場合、凹凸紙の表面に形成される画像に濃度むらや色抜け等の不具合が生じるおそれがある。
具体的に説明すると、上述したように、画像形成装置２では、二次転写部３０において、中間転写ベルト２０上に形成された重畳トナーを用紙に一括転写する。用紙の表面に凹部と凸部とが形成された凹凸紙では、凸部と比較して凹部において転写電界が作用しにくい。このため、凹凸紙では、凸部と比較して凹部において十分量のトナーが転写されず、この結果、凹部において画像の濃度が低くなったり、色抜けが生じたりする場合がある。
【００２９】
これに対し、本発明者らは、トナーの帯電量を調整することで、エンボス紙に対するトナーの転写性が向上することを見出した。
図３は、トナーの帯電量（μＣ／ｇ）とエンボス紙に対するトナーの転写性グレードとの関係を示した図である。具体的には、画像形成装置２において、エンボス紙（特種東海製紙社製のレザック６６、２０３ｇｓｍ）に対して画像を形成する動作を行った場合の、トナーの単位質量当たりの帯電量（μＣ／ｇ）とエンボス紙に対する転写性グレードとの関係を示している。
【００３０】
この例では、マゼンタ（Ｍ）、シアン（Ｃ）および黒（Ｋ）のそれぞれのトナーを用いた場合のエンボス紙に対する転写性グレードの評価を行った。
ここで、転写性グレードの判定は、二次転写部３０にて二次転写され、定着器４０にて定着された後の画像を目視で確認した場合に、以下の基準で行っている。
１：エンボス紙の凹部において、画像面積が１０％以下の範囲で抜けが存在する、またはエンボス紙の凹部において、抜けが存在しない。
２：エンボス紙の凹部において、画像面積が３０％以下の範囲で抜けが存在する。
３：エンボス紙の凹部において、画像面積が５０％以下の範囲で抜けが存在する。
４：エンボス紙の凹部において、画像面積が５０％より大きい範囲で抜けが存在する。
なお、エンボス紙の凹部での「抜け」とは、凹部においてトナーが転写されていない領域のことを意味する。
【００３１】
図３に示すように、マゼンタ（Ｍ）、シアン（Ｃ）および黒（Ｋ）のそれぞれのトナーにおいて、トナーの帯電量（μＣ／ｇ）を低減させることで、エンボス紙に対する転写性（転写性グレード）が良好になることが確認された。
より具体的には、図３に示す例では、トナーの帯電量を３０μＣ／ｇ未満とすることで、エンボス紙に対する転写性グレードが良好になることが確認された。
【００３２】
そこで、本実施の形態の画像形成装置２では、エンボス紙等の凹凸紙に対して画像を形成する指示がなされた場合に、凹凸紙に画像を形成する前に予めトナーの帯電量を低くする処理を行っている。これにより、エンボス紙等の凹凸紙に対するトナーの転写性の低下を抑制し、凹凸紙に形成される画像における濃度むらや色抜けの発生を抑制している。
【００３３】
図４は、凹凸紙に画像を形成する指示がなされた場合に、制御装置５による制御に基づいて行われる処理のフローチャートである。
図４に示すように、制御装置５は、まず操作受付装置４やＰＣ（図示せず）等を介して、新たな画像形成処理を実行する旨の指示を受け付ける（ステップ１０１）。ここで、制御装置５は、画像形成処理の指示を受け付けるに際して、画像を形成する用紙の種類（紙種）や画像形成枚数、形成する画像の種類等に関する情報を併せて取得する。
次に制御装置５は、ステップ１０１にて取得した用紙の種類（紙種）に関する情報に基づいて、画像形成の対象となる用紙の種類（紙種）が、凹凸紙に該当するか否かを判断する（ステップ１０２）。
【００３４】
画像形成の対象となる用紙の種類（紙種）が凹凸紙である場合（ステップ１０２でＹＥＳ）、制御装置５は、現像器１５の現像ハウジング１５１に収容されるトナーの帯電量を下げるための処理（第１セットアップ処理）を行う（ステップ１０３）。なお、セットアップ処理を行う際には、用紙（凹凸紙）に対する画像形成動作は一旦停止され、二次転写部３０への凹凸紙の搬送も停止される。
続いて、ステップ１０３の第１セットアップ処理が終了した後、制御装置５は、凹凸紙に対する画像形成動作を開始し（ステップ１０４）、一連の処理を終了する。
【００３５】
ステップ１０３の第１セットアップ処理は、制御装置５による制御に基づいて、以下のような手順で行われる。
まず、中間転写ベルト２０から二次転写ロール３１が離間される（ステップ１０３−１）。
続いて、画像形成ユニット１１において、現像ハウジング１５１からトナーを吐き出すための吐き出しトナー像の形成動作が行われる（ステップ１０３−２）。具体的には、上述した通常の画像形成動作と同様のプロセスで、画像形成ユニット１１において感光体ドラム１２上に吐き出しトナー像が形成される。そして、感光体ドラム１２上に形成されたそれぞれの吐き出しトナー像は、一次転写ロール２１により中間転写ベルト２０上に順次転写される。
【００３６】
吐き出しトナー像としては、現像ハウジング１５１内のトナーを迅速に吐き出す観点から、それぞれの画像形成ユニット１１において画像形成が可能な全画像領域に高密度の画像を形成することが好ましい。この例では、吐き出しトナー像として、画像形成ユニット１１において、全画像領域にベタ画像を形成する。
このように、それぞれの画像形成ユニット１１において吐き出しトナー像を形成することで、それぞれの画像形成ユニット１１における現像器１５の現像ハウジング１５１内から感光体ドラム１２上にトナーが吐き出される（排出される）。
【００３７】
なお、中間転写ベルト２０上に転写された吐き出しトナー像は、二次転写ロール３１が離間された二次転写部３０を、用紙に転写されることなく通過する。そして、ベルトクリーナ２３により中間転写ベルト２０から除去される。
【００３８】
また、第１セットアップ処理では、吐き出しトナー像の形成とともに、それぞれの現像器１５においてトナー供給装置１５５により現像ハウジング１５１内に新たなトナーが供給される（ステップ１０３−３）。
【００３９】
ここで、上述したように、現像器１５では、現像ハウジング１５１内において搬送スクリュー１５３ａ、１５３ｂにより現像剤中のトナーおよびキャリアを攪拌搬送しトナーとキャリアとを摩擦させることにより、トナーを帯電させている。
このため、トナー供給装置１５５により現像ハウジング１５１内に新たに供給されるトナーは、現像ハウジング１５１内に既に収容されているトナーと比較して帯電量が低くなっている。
したがって、本実施の形態の第１セットアップ処理においては、吐き出しトナーの形成により帯電量の高いトナーを現像ハウジング１５１内から吐き出すとともに、トナー供給装置１５５により帯電量の低い新たなトナーを現像ハウジング１５１内に供給することで、現像ハウジング１５１内に収容されるトナーの帯電量が、第１セットアップ処理を実行する前と比較して低下する。
【００４０】
さらに、第１セットアップ処理では、制御装置５により、現像器１５内のトナー濃度の目標値を変更する処理が行われる（ステップ１０３−４）。具体的には、トナー濃度の目標値を、画像形成対象の用紙として凹凸紙以外の用紙が選択されている場合に設定される第１濃度値から、第１濃度値よりも高い第２濃度値へ変更する処理が行われる。
これにより、現像器１５の現像ハウジング１５１内にトナー供給装置１５５により新たなトナーが引き続き供給されるため、現像ハウジング１５１内に収容されるトナーの帯電量が、第１セットアップ処理を実行する前と比較して低い状態で維持される。
その後、二次転写ロール３１を、中間転写ベルト２０を介してバックアップロール３２に対して加圧した状態とし（ステップ１０３−５）、第１セットアップ処理を終了する。
【００４１】
なお、第１セットアップ処理では、ステップ１０１において取得された画像の種類が、カラー画像である場合には、それぞれの画像形成ユニット１１Ｙ、１１Ｍ、１１Ｃ、１１Ｋにおいて、吐き出しトナー像の形成動作、現像ハウジング１５１へのトナーの供給動作およびトナー濃度の目標値の変更処理が行われる。
一方、ステップ１０１において取得された画像の種類がモノクロ画像である場合には、黒（Ｋ）の画像形成ユニット１１Ｋにおいて、吐き出しトナー像の形成動作、現像ハウジング１５１へのトナーの供給動作およびトナー濃度の目標値の変更処理が行われる。この場合、イエロー（Ｙ）、マゼンタ（Ｍ）およびシアン（Ｃ）の画像形成ユニット１１Ｙ、１１Ｍ、１１Ｃでは、吐き出しトナー像の形成動作、現像ハウジング１５１へのトナーの供給動作およびトナー濃度の目標値の変更処理は行われない。
【００４２】
このように、本実施の形態の画像形成装置２では、エンボス紙等の凹凸紙に対して画像を形成する指示がなされた場合に、予めトナーの帯電量を低下させる第１セットアップ処理を行っている。これにより、二次転写部３０において、中間転写ベルト２０上に保持されたトナー像を凹凸紙に対して転写する際に、第１セットアップ処理を行わない場合と比較して、凹凸紙の凹部に対してトナーが転写されやすくなる。この結果、第１セットアップ処理を行わない場合と比較して、凹凸紙に対して形成される画像において、凹部における画像濃度低下や色抜けの発生が抑制される。
【００４３】
図５は、第１セットアップ処理の前後のトナーの帯電量およびエンボス紙へのトナーの転写性グレードの関係を示した図である。図５では、画像形成装置２において、第１セットアップ処理を行う前と第１セットアップ処理を行った後とのそれぞれについて、エンボス紙（特種東海製紙社製のレザック６６、２０３ｇｓｍ）に対して、マゼンタ（Ｍ）、シアン（Ｃ）および黒（Ｋ）のトナーを用いて画像を形成する動作を行った場合の転写性グレードを示している。第１セットアップ処理としては、マゼンタ（Ｍ）、シアン（Ｃ）および黒（Ｋ）の画像形成ユニット１１Ｍ、１１Ｃ、１１Ｋにおいて、吐き出しトナー像としてＡ４サイズの全面画像をＣｉｎ６０％にて３００枚分形成する動作、および現像ハウジング１５１内に新たなトナーを補給する動作を行った。また、二次転写部３０に供給する二次転写バイアスの大きさは３５００Ｖとした。
なお、図５における転写性グレードの判断基準は、図３に示した例と同様である。
【００４４】
図５に示すように、第１セットアップ処理を行うことで、マゼンタ（Ｍ）、シアン（Ｃ）および黒（Ｋ）のそれぞれについてトナーの帯電量が下がることが確認された。また、図５に示すように、第１セットアップ処理を行うことで、マゼンタ（Ｍ）、シアン（Ｃ）および黒（Ｋ）のそれぞれについてエンボス紙へのトナーの転写性（転写性グレード）が良好になることが確認された。
【００４５】
ここで、凹凸紙に対する画像形成動作の終了時には、現像ハウジング１５１におけるトナーの帯電量が第１セットアップ処理の実行前と比較して低い状態となっている。このため、凹凸紙に対する画像形成動作の終了後、引き続いて例えば普通紙等の凹凸紙以外の用紙に対して画像を形成する場合、二次転写部３０において用紙にトナーが転写されやすくなり、用紙に形成される画像濃度が通常よりも高くなるおそれがある。
このような問題を抑制するため、凹凸紙に対する画像形成動作を行った後に、凹凸紙以外の用紙（普通紙）に対して画像を形成する指示がなされた場合には、制御装置５による制御に基づいて、トナーの帯電量を上げるための第２セットアップ処理を行ってもよい。第２セットアップ処理を行い、トナーの帯電量を、第１セットアップ処理を行う前の状態まで戻すことで、凹凸紙に対して画像形成動作を行った後、凹凸紙以外の用紙に画像を形成する場合に、画像濃度が高くなることが抑制される。
【００４６】
第２セットアップ処理は、例えば以下の手順で行われる。まず、第１セットアップ処理と同様に、制御装置５による制御に基づいて、中間転写ベルト２０から二次転写ロール３１が離間される。
続いて、それぞれの画像形成ユニット１１の現像器１５において、トナー供給装置１５５による現像ハウジング１５１への新たなトナーの供給量を減らし、または供給を停止する。さらに、それぞれの画像形成ユニット１１において、第１セットアップ処理と同様に吐き出しトナー像の形成を行う。
さらにまた、制御装置５により、現像器１５内のトナー濃度の目標値を、第２濃度値から第２濃度値よりも低い第１濃度値へ変更する処理を行う。
【００４７】
これにより、現像器１５内のトナー濃度が低下しトナーとキャリアとの摩擦による帯電が促進されるため、凹凸紙に画像形成後であって第２セットアップ処理を実行する前と比較して、現像ハウジング１５１におけるトナーの帯電量が上昇する。
この結果、第１セットアップ処理を実行し凹凸紙に画像を形成した後、凹凸紙以外の用紙（普通紙）に画像を形成する場合に、画像濃度が高くなることが抑制される。
【００４８】
なお、本実施の形態では、凹凸紙に対してカラー画像を形成する指示がなされた場合には、全ての画像形成ユニット１１Ｙ、１１Ｍ、１１Ｃ、１１Ｋにおいて第１セットアップ処理を実行するものとした。カラー画像の種類（写真、グラフ等）やカラー画像の色合い、画像密度等により凹凸紙における濃度むら目立たない色（例えばイエロー（Ｙ）等）の画像形成ユニット１１については、第１セットアップ処理を行わなくてもよい。例えば、凹凸紙に対してカラー画像を形成する指示がなされた場合に、マゼンタ（Ｍ）、シアン（Ｃ）、黒（Ｋ）の画像形成ユニット１１Ｍ、１１Ｃ、１１Ｋにおいてのみ第１セットアップ処理を行い、イエロー（Ｙ）の画像形成ユニット１１Ｙにおいては第１セットアップ処理を行わない構成としてもよい。
【００４９】
（実施の形態２）
続いて、本発明の実施の形態２について説明する。なお、実施の形態１と同様の構成については同様の符号を用い、ここでは、その詳細な説明を省略する。
上述した実施の形態１では、エンボス紙等の凹凸紙に対して画像形成を行う指示がなされた場合に、一律に第１セットアップ処理を行ってトナーの帯電量を低下させ、凹凸紙に対する転写性の低下を抑制する構成とした。しかしながら、第１セットアップ処理は、凹凸紙に対する転写性の低下を抑制するためには有効であるものの、吐き出しトナー像の形成によりトナーを消費するため、過度に行うことは、省資源の観点から好ましくない。
【００５０】
また、凹凸紙に対して画像を形成する場合であっても、凹凸紙の坪量（厚さ）や凹凸紙の種類、凹凸紙に形成する画像の種類等によっては、必ずしも第１セットアップ処理を行わなくてもよい場合がある。例えば、凹凸紙の坪量が低い場合、凹凸紙の坪量が高い場合と比較して凹部においても転写電界が作用しやすいため、トナーの転写性の低下は起こりにくい。
【００５１】
図６は、画像形成装置２において、坪量の互いに異なるエンボス紙に対して画像を形成した場合のトナーの転写性グレードの関係を示した図である。図６では、画像形成装置２において、第１セットアップ処理を行う前と第１セットアップ処理を行った後とのそれぞれについて、坪量の互いに異なるエンボス紙（特種東海製紙社製のレザック６６、１５１ｇｓｍ、２０４ｇｓｍ、２５０ｇｓｍ）に対して黒（Ｋ）色のトナーを用いて画像を形成する動作を行った場合の転写性グレードを示している。
第１セットアップ処理としては、黒（Ｋ）の画像形成ユニット１１Ｋにおいて、吐き出しトナー像としてＡ４サイズの全面画像をＣｉｎ６０％にて３００枚分形成する動作、および現像ハウジング１５１内に新たなトナーを補給する動作を行った。また、二次転写部３０に供給する二次転写バイアスの大きさは３５００Ｖとした。さらに、現像器１５において、第１セットアップ処理を行う前のトナーの帯電量は、３３．９μＣ／ｇであり、第１セットアップ処理後のトナーの帯電量は２９．１μＣ／ｇであった。
【００５２】
図６に示すように、エンボス紙の坪量が２０４ｇｓｍおよび２５０ｇｓｍの場合には、第１セットアップ処理を行うことで、第１セットアップ処理を行う前と比較して、凹凸紙への転写性グレードが良好になることが確認された。より具体的には、エンボス紙の坪量が２０４ｇｓｍの場合には、第１セットアップ処理を行う前には、転写性グレードが３であるのに対し、第１セットアップ処理を行うことで、転写性グレードが１になることが確認された。また、エンボス紙の坪量が２５０ｇｓｍの場合には、第１セットアップ処理を行う前は、転写性グレードが４であるのに対し、第１セットアップ処理を行うことで、転写性グレードが１になることが確認された。
【００５３】
一方、エンボス紙の坪量が１５１ｇｓｍの場合には、第１セットアップ処理を行う前、および第１セットアップ処理を行った後の双方で、転写性グレードは１であり、第１セットアップ処理を行わない場合であっても、エンボス紙に対する転写性はほとんど変わらないことが確認された。
【００５４】
そこで、実施の形態２では、凹凸紙に対して画像を形成する指示がなされた場合に、凹凸紙の坪量が予め定めた坪量以上である場合には第１セットアップ処理を行い、凹凸紙の坪量が予め定めた坪量未満である場合には第１セットアップ処理を行わない構成としている。これにより、凹凸紙に対して画像を形成する指示がなされた場合に、一律に第１セットアップ処理を行う場合と比較して、吐き出しトナー像の形成によるトナーの消費を抑制している。
【００５５】
図７は、実施の形態２において、凹凸紙に画像を形成する指示がなされた場合に、制御装置５による制御に基づいて行われる処理のフローチャートである。
図７に示すように、制御装置５は、まず操作受付装置４やＰＣ（図示せず）等を介して、新たな画像形成処理を実行する旨の指示を受け付ける（ステップ２０１）。ここで、制御装置５は、画像形成処理の指示を受け付けるに際して、画像を形成する用紙の種類（紙種）、用紙の坪量、画像形成枚数、形成する画像の種類等に関する情報を合わせて取得する。
次に制御装置５は、ステップ２０１にて取得した用紙の種類（紙種）に関する情報に基づいて、画像形成の対象となる用紙の種類（紙種）が、凹凸紙に該当するか否かを判断する（ステップ２０２）。
【００５６】
画像形成の対象となる用紙の種類（紙種）が凹凸紙である場合（ステップ２０２でＹＥＳ）、制御装置５は、ステップ２０１にて取得した用紙の坪量に関する情報に基づいて、凹凸紙の坪量Ｑが予め定めた坪量Ｑ１以上であるか否かを判断する（ステップ２０３）。
凹凸紙の坪量Ｑが予め定めた坪量Ｑ１以上である場合（ステップ２０３でＹＥＳ）、制御装置５は、現像器１５の現像ハウジング１５１に収容されるトナーの帯電量を下げるための第１セットアップ処理を行う（ステップ２０４）。なお、第１セットアップ処理の内容は、実施の形態１のステップ１０３で説明したものと同様である。
【００５７】
続いて、ステップ２０４の第１セットアップ処理が終了した後、制御装置５は、凹凸紙に対する画像形成動作を開始し（ステップ２０５）、一連の処理を終了する。
一方、画像形成の対象となる用紙の種類（紙種）が凹凸紙以外の用紙である場合（ステップ２０２でＮＯ）、凹凸紙の坪量Ｑが予め定めた坪量Ｑ１未満である場合（ステップ２０３でＮＯ）には、第１セットアップ処理を行うことなく、画像形成動作を開始し（ステップ２０５）、一連の処理を終了する。
【００５８】
以上のように、本実施の形態では、エンボス紙等の凹凸紙に対して画像を形成する指示がなされた場合に、一律に第１セットアップ処理を行うのではなく、凹凸紙の坪量に応じて、第１セットアップ処理行うか否かを判断する。
これにより、例えば濃度むら等が生じやすい坪量の大きな凹凸紙では、画像形成動作前に第１セットアップ処理を行うことで、形成される画像の濃度むらや色抜けの発生が抑制される。一方、濃度むらや色抜け等が発生しにくい坪量の小さな凹凸紙では、第１セットアップ処理を行わないことで、トナーの消費が抑制される。また、第１セットアップ処理を行わないことで、凹凸紙に対して画像を形成する指示がなされてから実際に画像が形成されるまでの期間が短縮される。
【００５９】
なお、図７に示した例では、凹凸紙の坪量に応じて第１セットアップ処理を行うか否かを判断している。しかしながら、本実施の形態において、第１セットアップ処理を行うか否かの判断基準は、これに限られるものではない。
例えば、凹凸紙における凹凸の大きさ（凹部の深さ）が予め定めた大きさを超える場合に、第１セットアップ処理を行い、凹凸の大きさが予め定めた大きさ未満である場合には第１セットアップ処理を行わないものとしてもよい。
【００６０】
また、一般に、画像密度が高い画像を形成する場合、それぞれの画像形成ユニット１１の現像器１５において、現像ハウジング１５１内のトナーが多く消費されるとともに、トナー供給装置１５５により現像ハウジング１５１内に新たなトナーが多く供給される。
このため、画像密度が高い画像を形成する画像形成動作が行われると、それぞれの画像形成ユニット１１において、現像ハウジング１５１内のトナーの帯電量が低くなりやすい。この場合、凹凸紙に対して画像を形成する場合であっても、トナーの転写不良による画像の濃度むらや色抜けが生じにくい。
【００６１】
したがって、本実施の形態では、凹凸紙に対する画像形成の前に、画像密度が低い画像（例えば用紙がＡ４サイズの場合、画像密度が２０％以下の画像）を形成する画像形成動作がなされている場合には、第１セットアップ処理を行い、凹凸紙に対する画像形成の前に、画像密度が高い画像（例えば用紙がＡ４サイズの場合、画像密度が２０％よりも高い画像）を形成する画像形成動作がなされている場合には、第１セットアップ処理を行わないものとしてもよい。
この場合、凹凸紙に画像を形成する場合に一律に第１セットアップ処理を行う構成とした場合と比較して、トナーの消費量が抑制される。
【００６２】
ところで、エンボス紙等の凹凸紙に対するトナーの転写性の低下を抑制するための他の方法としては、二次転写部３０において二次転写ロール３１とバックアップロール３２との間の圧力（ニップ圧）を、凹凸紙以外の用紙（普通紙）に対してトナー像を二次転写する場合と比較して高くする方法が挙げられる。
しかしながら、凹凸紙に対してトナー像を二次転写する際に二次転写ロール３１とバックアップロール３２とのニップ圧を高くした場合であっても、凹凸紙や画像の種類等によっては、凹凸紙の凹部に対するトナーの転写性が不十分となる場合がある。
【００６３】
また、凹凸紙の凹部に対するトナーの転写性を高めるために、二次転写ロール３１とバックアップロール３２とのニップ圧を過度に高くした場合には、凹凸紙に形成する画像の種類等によっては、凹凸紙に転写されるトナー像に色抜けが生じる場合がある。具体的に説明すると、二次転写ロール３１とバックアップロール３２とのニップ圧を過度に高くした場合、例えば凹凸紙の凸部や画像のトナーの重なりが多い部分等において、トナーに加えられる圧力が過剰となる場合がある。この場合、二次転写部３０において圧力によりトナーが機械的につぶされて固まり、中間転写ベルト２０から凹凸紙に対してトナー像が転写されない領域が形成される。この結果、凹凸紙に形成される画像に色抜けが生じる場合がある。
【００６４】
さらに、凹凸紙に対するトナーの転写性の低下を抑制するための他の方法としては、二次転写部３０に印加する二次転写バイアスを、直流電圧に交流電圧を重畳した重畳バイアスとする方法が挙げられる。この方法では、中間転写ベルト２０に保持されたトナーを振動させ、凹凸紙の凹部に対するトナーの転写性を向上させる。
しかしながら、二次転写バイアスを直流電圧と交流電圧との重畳バイアスとした場合であっても、凹凸紙や画像の種類等によっては、凹凸紙の凹部に対するトナーの転写性が不十分となる場合がある。
【００６５】
これに対し、本実施の形態のように、凹凸紙に画像を形成される指示がなされた場合に、トナーの帯電量を低下させる第１セットアップ処理を行うことで、例えば凹凸紙の坪量が大きい場合等のように凹凸紙の凹部にトナーが転写されにくい場合であっても、凹凸紙の凹部に対するトナーの転写性の低下が抑制される。これにより、凹凸紙に形成される画像の濃度むらや色抜けの発生が抑制される。
さらに、本実施の形態では、二次転写部３０におけるニップ圧を高くする方法とは異なり二次転写部３０においてトナーに過度な圧力をかける必要がない。このため、本実施の形態は、複数のラインが交差した部分でトナーが固まることによる画像の色抜けが生じやすいライン画像等を凹凸紙に対して形成する場合に、より有効に用いられる。
【００６６】
なお、例えば凹凸紙の種類や坪量、凹凸紙に形成する画像の種類等によって、凹凸紙に対するトナーの転写性をより改善する必要がある場合には、上述した二次転写部３０におけるニップ圧を高くする動作、または二次転写部３０に二次転写バイアスとして重畳バイアスを供給する動作を、第１セットアップ処理と併せて行ってもよい。
この場合、凹凸紙の凹部に対するトナーの転写性の低下がより抑制され、凹凸紙に形成される画像の濃度むらや色抜けの発生がより抑制される。
【符号の説明】
【００６７】
１…複合機、２…画像形成装置、４…操作受付装置、５…制御装置、１１…画像形成ユニット、１２…感光体ドラム、１５…現像器、２０…中間転写ベルト、３０…二次転写部、３１…二次転写ロール、３２…バックアップロール、１５１…現像ハウジング、１５５…トナー供給装置
【図１】
0006394350.tif 000002
【図２】
0006394350.tif 000003
【図３】
0006394350.tif 000004
【図４】
0006394350.tif 000005
【図５】
0006394350.tif 000006
【図６】
0006394350.tif 000007
【図７】
0006394350.tif 000008